(57)【要約】【課題】店舗への効果的な集客を図ることが可能な店舗情報を配信するとともに、その店舗情報配信の集客効果を確認可能な情報を取得する。【解決手段】ユーザが携帯電話装置１から店舗のイベント情報の配信を要求すると、情報管理サーバ装置２は、その要求に応じて店舗のイベント情報をその携帯電話装置１に配信する。また、ユーザが店舗を訪れ、ＩＣタグ１１付の携帯電話装置１を店舗端末３にかざすと、ＩＣタグ１１と店舗端末３のＩＣタグリーダ・ライタ３１との間で通信が行われ、情報管理サーバ装置２は、店舗端末３からその店舗ＩＤを取得し、その店舗の商品や施設に係る店舗情報を携帯電話装置１へ配信する。また、情報管理サーバ装置２は、ユーザの来店情報を取得し、集計して、その集計した来店集計情報を広告主が所有する店舗管理サーバ装置６へ配信する。【選択図】図１
2007310431.tif 000002
【特許請求の範囲】
【請求項１】
店舗のイベント情報を記憶したイベント情報記憶手段、並びに、店舗の商品および施設に係る情報を記憶した店舗情報記憶手段を少なくとも備えた情報管理サーバ装置と、
前記情報管理サーバ装置に通信可能に構成され、情報処理手段および表示手段を少なくとも備えた携帯情報端末と、
ユニークに識別可能なタグ識別情報を記憶したＩＣタグと、
店舗に設置され、前記ＩＣタグおよび情報管理サーバ装置にそれぞれ通信可能に構成された店舗端末と、
を含んで構成された店舗情報配信システムにおける店舗情報配信方法であって、
前記携帯情報端末は、前記情報管理サーバ装置に対し、イベント情報の配信を求めるイベント情報配信要求情報を送信する第１の処理を実行し、
前記情報管理サーバ装置は、前記イベント情報配信要求情報を受信したときに、前記イベント情報を前記イベント情報記憶手段から取得し、その取得したイベント情報を前記携帯情報端末へ配信する第２の処理を実行し、
前記携帯情報端末は、前記配信されたイベント情報を受信し、その受信したイベント情報を前記表示手段に表示する第３の処理を実行し、
前記携帯情報端末は、前記ＩＣタグを介して前記店舗端末からその店舗端末が設置された店舗を識別可能な店舗識別情報を取得したときに、前記情報管理サーバ装置に対し、前記店舗識別情報によって指定される店舗についての前記店舗情報の配信を求める店舗情報配信要求情報を送信する第４の処理を実行し、
前記情報管理サーバ装置は、前記店舗情報配信要求情報を受信したときに、前記店舗識別情報によって指定される店舗の前記店舗情報を前記店舗情報記憶手段から取得し、その取得した前記店舗情報を前記携帯情報端末へ配信する第５の処理を実行し、
前記携帯情報端末は、前記配信された店舗情報を受信し、その受信した店舗情報を前記表示手段に表示する第６の処理を実行すること
を特徴とする店舗情報配信方法。
【請求項２】
前記携帯情報端末は、自らを構成する前記情報処理手段に、前記情報管理サーバ装置から別途配信された所定の情報取得プログラムを実行させることによって、前記第１の処理、前記第３の処理、前記第４の処理および前記第６の処理を行うこと
を特徴とする請求項１に記載の店舗情報配信方法。
【請求項３】
前記情報管理サーバ装置は、さらに、店舗の来店者に係る情報を記憶する来店情報記憶手段を備え、
前記店舗情報配信要求情報を受信したときに、その店舗情報配信要求情報に添付された前記店舗識別情報と前記携帯情報端末の識別情報とそのときの日時情報とを関連付けて顧客来店情報とし、その顧客来店情報を前記来店情報記憶手段に記憶し、
さらに、所定の期間ごとに、前記来店情報記憶手段に記憶した前記顧客来店情報に基づき、その期間内の顧客来店情報を集計すること
を特徴とする請求項１または請求項２に記載の店舗情報配信方法。
【請求項４】
店舗のイベント情報を記憶したイベント情報記憶手段、並びに、店舗の商品および施設に係る情報を記憶した店舗情報記憶手段を少なくとも備えた情報管理サーバ装置と、
前記情報管理サーバ装置に通信可能に構成され、情報処理手段および表示手段を少なくとも備えた携帯情報端末と、
ユニークに識別可能なタグ識別情報を記憶したＩＣタグと、
店舗に設置され、前記ＩＣタグおよび情報管理サーバ装置にそれぞれ通信可能に構成された店舗端末と、
を含んで構成された店舗情報配信システムにおける店舗情報配信方法であって、
前記携帯情報端末は、前記情報管理サーバ装置に対し、イベント情報の配信を求めるイベント情報配信要求情報を送信する第１の処理を実行し、
前記情報管理サーバ装置は、前記イベント情報配信要求情報を受信したときに、前記イベント情報を前記イベント情報記憶手段から取得し、その取得したイベント情報を前記携帯情報端末へ配信する第２の処理を実行し、
前記携帯情報端末は、前記配信されたイベント情報を受信し、その受信したイベント情報を前記表示手段に表示する第３の処理を実行し、
前記情報管理サーバ装置は、前記店舗端末が前記ＩＣタグから送信された前記タグ識別情報を受信し、その受信したタグ識別情報を前記情報管理サーバ装置に送信したときに、その送信されたタグ識別情報を受信し、そのタグ識別情報を送信した店舗端末を備えた店舗の前記店舗情報を、前記店舗情報記憶手段から取得し、その取得した前記店舗情報を、前記タグ識別情報によって指定される前記携帯情報端末へ配信する第４の処理を実行し、
前記携帯情報端末は、前記配信された店舗情報を受信し、その受信した店舗情報を前記表示手段に表示する第５の処理を実行すること
を特徴とする店舗情報配信方法。
【請求項５】
前記携帯情報端末は、自らを構成する前記情報処理手段に、前記情報管理サーバ装置から別途配信された所定の情報取得プログラムを実行させることによって、前記第１の処理、前記第３の処理および前記第５の処理を行うこと
を特徴とする請求項４に記載の店舗情報配信方法。
【請求項６】
前記情報管理サーバ装置は、さらに、
店舗の来店者に係る情報を記憶する来店情報記憶手段を備え、
前記店舗端末が前記ＩＣタグから送信された前記タグ識別情報を受信し、その受信したタグ識別情報を前記情報管理サーバ装置に送信したときに、その送信されたタグ識別情報を受信し、その受信したタグ識別情報とそのタグ識別情報を送信した店舗端末が設置された店舗の店舗識別情報とそのときの日時情報とを関連付けて顧客来店情報とし、その顧客来店情報を前記来店情報記憶手段に記憶し、
さらに、所定の期間ごとに、前記来店情報記憶手段に記憶した前記顧客来店情報に基づき、その期間内の顧客来店情報を集計すること
を特徴とする請求項４または請求項５に記載の店舗情報配信方法。
【請求項７】
店舗のイベント情報を記憶したイベント情報記憶手段、並びに、店舗の商品および施設に係る情報を記憶した店舗情報記憶手段を少なくとも備えた情報管理サーバ装置と、
前記情報管理サーバ装置に通信可能に構成され、情報処理手段および表示手段を少なくとも備えた携帯情報端末と、
ユニークに識別可能なタグ識別情報を記憶したＩＣタグと、
店舗に設置され、前記ＩＣタグおよび情報管理サーバ装置にそれぞれ通信可能に構成された店舗端末と、
を含んで構成された店舗情報配信システムであって、
前記携帯情報端末は、前記情報管理サーバ装置に対し、イベント情報の配信を求めるイベント情報配信要求情報を送信する第１の処理を実行し、
前記情報管理サーバ装置は、前記イベント情報配信要求情報を受信したときに、前記イベント情報を前記イベント情報記憶手段から取得し、その取得したイベント情報を前記携帯情報端末へ配信する第２の処理を実行し、
前記携帯情報端末は、前記配信されたイベント情報を受信し、その受信したイベント情報を前記表示手段に表示する第３の処理を実行し、
前記携帯情報端末は、前記ＩＣタグを介して前記店舗端末からその店舗端末が設置された店舗を識別可能な店舗識別情報を取得したときに、前記情報管理サーバ装置に対し、前記店舗識別情報によって指定される店舗についての前記店舗情報の配信を求める店舗情報配信要求情報を送信する第４の処理を実行し、
前記情報管理サーバ装置は、前記店舗情報配信要求情報を受信したときに、前記店舗識別情報によって指定される店舗の前記店舗情報を前記店舗情報記憶手段から取得し、その取得した前記店舗情報を前記携帯情報端末へ配信する第５の処理を実行し、
前記携帯情報端末は、前記配信された店舗情報を受信し、その受信した店舗情報を前記表示手段に表示する第６の処理を実行すること
を特徴とする店舗情報配信システム。
【請求項８】
前記携帯情報端末は、自らを構成する前記情報処理手段に、前記情報管理サーバ装置から別途配信された所定の情報取得プログラムを実行させることによって、前記第１の処理、前記第３の処理、前記第４の処理および前記第６の処理を行うこと
を特徴とする請求項７に記載の店舗情報配信システム。
【請求項９】
前記情報管理サーバ装置は、さらに、店舗の来店者に係る情報を記憶する来店情報記憶手段を備え、
前記店舗情報配信要求情報を受信したときに、その店舗情報配信要求情報に添付された前記店舗識別情報と前記携帯情報端末の識別情報とそのときの日時情報とを関連付けて顧客来店情報とし、その顧客来店情報を前記来店情報記憶手段に記憶し、
さらに、所定の期間ごとに、前記来店情報記憶手段に記憶した前記顧客来店情報に基づき、その期間内の顧客来店情報を集計すること
を特徴とする請求項７または請求項８に記載の店舗情報配信システム。
【請求項１０】
前記携帯情報端末は、その内部に前記ＩＣタグを含み、そのＩＣタグに記憶された情報をアクセス可能に構成されたこと
を特徴とする請求項７ないし請求項９のいずれか１項に記載の店舗情報配信システム。
【請求項１１】
店舗のイベント情報を記憶したイベント情報記憶手段、並びに、店舗の商品および施設に係る情報を記憶した店舗情報記憶手段を少なくとも備えた情報管理サーバ装置と、
前記情報管理サーバ装置に通信可能に構成され、情報処理手段および表示手段を少なくとも備えた携帯情報端末と、
ユニークに識別可能なタグ識別情報を記憶したＩＣタグと、
店舗に設置され、前記ＩＣタグおよび情報管理サーバ装置にそれぞれ通信可能に構成された店舗端末と、
を含んで構成された店舗情報配信システムであって、
前記携帯情報端末は、前記情報管理サーバ装置に対し、イベント情報の配信を求めるイベント情報配信要求情報を送信する第１の処理を実行し、
前記情報管理サーバ装置は、前記イベント情報配信要求情報を受信したときに、前記イベント情報を前記イベント情報記憶手段から取得し、その取得したイベント情報を前記携帯情報端末へ配信する第２の処理を実行し、
前記携帯情報端末は、前記配信されたイベント情報を受信し、その受信したイベント情報を前記表示手段に表示する第３の処理を実行し、
前記情報管理サーバ装置は、前記店舗端末が前記ＩＣタグから送信された前記タグ識別情報を受信し、その受信したタグ識別情報を前記情報管理サーバ装置に送信したときに、その送信されたタグ識別情報を受信し、そのタグ識別情報を送信した店舗端末を備えた店舗の前記店舗情報を、前記店舗情報記憶手段から取得し、その取得した前記店舗情報を、前記タグ識別情報によって指定される前記携帯情報端末へ配信する第４の処理を実行し、
前記携帯情報端末は、前記配信された店舗情報を受信し、その受信した店舗情報を前記表示手段に表示する第５の処理を実行すること
を特徴とする店舗情報配信システム。
【請求項１２】
前記携帯情報端末は、自らを構成する前記情報処理手段に、前記情報管理サーバ装置から別途配信された所定の情報取得プログラムを実行させることによって、前記第１の処理、前記第３の処理および前記第５の処理を行うこと
を特徴とする請求項１１に記載の店舗情報配信システム。
【請求項１３】
前記情報管理サーバ装置は、さらに、
店舗の来店者に係る情報を記憶する来店情報記憶手段を備え、
前記店舗端末が前記ＩＣタグから送信された前記タグ識別情報を受信し、その受信したタグ識別情報を前記情報管理サーバ装置に送信したときに、その送信されたタグ識別情報を受信し、その受信したタグ識別情報とそのタグ識別情報を送信した店舗端末が設置された店舗の店舗識別情報とそのときの日時情報とを関連付けて顧客来店情報とし、その顧客来店情報を前記来店情報記憶手段に記憶し、
さらに、所定の期間ごとに、前記来店情報記憶手段に記憶した前記顧客来店情報に基づき、その期間内の顧客来店情報を集計すること
を特徴とする請求項１１または請求項１２に記載の店舗情報配信システム。
【請求項１４】
店舗のイベント情報を記憶したイベント情報記憶手段、並びに、店舗の商品および施設に係る情報を記憶した店舗情報記憶手段を少なくとも備えた情報管理サーバ装置と、
前記情報管理サーバ装置に通信可能に構成され、情報処理手段および表示手段を少なくとも備えた携帯情報端末と、
ユニークに識別可能なタグ識別情報を記憶したＩＣタグと、
店舗に設置され、前記ＩＣタグおよび情報管理サーバ装置にそれぞれ通信可能に構成された店舗端末と、
を含んで構成された店舗情報配信システムに用いられる情報管理サーバ装置であって、
前記携帯情報端末から送信されたイベント情報配信要求情報を受信したときに、前記イベント情報を前記イベント情報記憶手段から取得し、その取得したイベント情報を前記携帯情報端末へ配信し、
前記携帯情報端末から送信された店舗情報配信要求情報を受信したときに、前記店舗識別情報によって指定される店舗の前記店舗情報を前記店舗情報記憶手段から取得し、その取得した前記店舗情報を前記携帯情報端末へ配信すること
を特徴とする情報管理サーバ装置。
【請求項１５】
前記携帯情報端末から送信された情報取得プログラム配信要求情報を受信したときに、所定の情報取得プログラムを前記携帯情報端末へ配信すること
を特徴とする請求項１４に記載の情報管理サーバ装置。
【請求項１６】
店舗の来店者に係る情報を記憶する来店情報記憶手段を、さらに、備え、
前記携帯情報端末から送信された店舗情報配信要求情報を受信したときに、
前記店舗情報配信要求情報を受信したときに、その店舗情報配信要求情報に添付された前記店舗識別情報と前記携帯情報端末の識別情報とそのときの日時情報とを関連付けて顧客来店情報とし、その顧客来店情報を前記来店情報記憶手段に記憶し、
所定の期間ごとに、前記来店情報記憶手段に記憶した前記顧客来店情報に基づき、その期間内の顧客来店情報を集計すること
を特徴とする請求項１４または請求項１５に記載の情報管理サーバ装置。
【請求項１７】
店舗のイベント情報を記憶したイベント情報記憶手段、並びに、店舗の商品および施設に係る情報を記憶した店舗情報記憶手段を少なくとも備えた情報管理サーバ装置と、
前記情報管理サーバ装置に通信可能に構成され、情報処理手段および表示手段を少なくとも備えた携帯情報端末と、
ユニークに識別可能なタグ識別情報を記憶したＩＣタグと、
店舗に設置され、前記ＩＣタグおよび情報管理サーバ装置にそれぞれ通信可能に構成された店舗端末と、
を含んで構成された店舗情報配信システムに用いられる情報管理サーバ装置であって、
前記携帯情報端末から送信されたイベント情報配信要求情報を受信したときに、前記イベント情報を前記イベント情報記憶手段から取得し、その取得したイベント情報を前記携帯情報端末へ配信し、
前記店舗端末が前記ＩＣタグから送信された前記タグ識別情報を受信し、その受信したタグ識別情報を前記情報管理サーバ装置に送信したときに、その送信されたタグ識別情報を受信し、そのタグ識別情報を送信した店舗端末を備えた店舗の前記店舗情報を、前記店舗情報記憶手段から取得し、その取得した前記店舗情報を、前記タグ識別情報によって指定される前記携帯情報端末へ配信すること、
を特徴とする情報管理サーバ装置。
【請求項１８】
前記携帯情報端末から送信された情報取得プログラム配信要求情報を受信したときに、所定の情報取得プログラムを前記携帯情報端末へ配信すること
を特徴とする請求項１７に記載の情報管理サーバ装置。
【請求項１９】
店舗の来店者に係る情報を記憶する来店情報記憶手段を、さらに、備え、
前記店舗端末が前記ＩＣタグから送信された前記タグ識別情報を受信し、その受信したタグ識別情報を前記情報管理サーバ装置に送信したときに、その送信されたタグ識別情報を受信し、その受信したタグ識別情報とそのタグ識別情報を送信した店舗端末が設置された店舗の店舗識別情報とそのときの日時情報とを関連付けて顧客来店情報とし、その顧客来店情報を前記来店情報記憶手段に記憶し、
さらに、所定の期間ごとに、前記来店情報記憶手段に記憶した前記顧客来店情報に基づき、その期間内の顧客来店情報を集計すること
を特徴とする請求項１７または請求項１８に記載の情報管理サーバ装置。
【請求項２０】
店舗のイベント情報を記憶したイベント情報記憶手段、並びに、店舗の商品および施設に係る情報を記憶した店舗情報記憶手段を少なくとも備えた情報管理サーバ装置と、
前記情報管理サーバ装置に通信可能に構成され、情報処理手段および表示手段を少なくとも備えた携帯情報端末と、
ユニークに識別可能なタグ識別情報を記憶したＩＣタグと、
店舗に設置され、前記ＩＣタグおよび情報管理サーバ装置にそれぞれ通信可能に構成された店舗端末と、
を含んで構成された店舗情報配信システムに用いられる携帯情報端末であって、
前記情報管理サーバ装置に対し、イベント情報の配信を求めるイベント情報配信要求情報を送信する第１の処理と、
前記情報管理サーバ装置から配信されたイベント情報を受信し、その受信したイベント情報を前記表示手段に表示する第２の処理と、
前記ＩＣタグを介して前記店舗端末からその店舗端末が設置された店舗を識別可能な店舗識別情報を取得したときに、前記情報管理サーバ装置に対し、前記店舗識別情報によって指定される店舗についての前記店舗情報の配信を求める店舗情報配信要求情報を送信する第３の処理と、
前記情報管理サーバ装置から配信された店舗情報を受信し、その受信した店舗情報を前記表示手段に表示する第４の処理と、
を実行することを特徴とする携帯情報端末。
【請求項２１】
自らを構成する前記情報処理手段に、前記情報管理サーバ装置から別途配信された所定の情報取得プログラムを実行させることによって、前記第１の処理ないし第４の処理を行うこと
を特徴とする請求項２０に記載の携帯情報端末。
【請求項２２】
その内部に前記ＩＣタグを含み、そのＩＣタグに記憶された情報をアクセス可能に構成されたこと
を特徴とする請求項２０または請求項２１に記載の携帯情報端末。
【請求項２３】
店舗のイベント情報を記憶したイベント情報記憶手段、並びに、店舗の商品および施設に係る情報を記憶した店舗情報記憶手段を少なくとも備えた情報管理サーバ装置と、
前記情報管理サーバ装置に通信可能に構成され、情報処理手段および表示手段を少なくとも備えた携帯情報端末と、
ユニークに識別可能なタグ識別情報を記憶したＩＣタグと、
店舗に設置され、前記ＩＣタグおよび情報管理サーバ装置にそれぞれ通信可能に構成された店舗端末と、
を含んで構成された店舗情報配信システムに用いられる携帯情報端末であって、
前記携帯情報端末は、前記情報管理サーバ装置に対し、イベント情報の配信を求めるイベント情報配信要求情報を送信する第１の処理と、
前記携帯情報端末は、前記配信されたイベント情報を受信し、その受信したイベント情報を前記表示手段に表示する第２の処理と、
前記携帯情報端末は、前記配信された店舗情報を受信し、その受信した店舗情報を前記表示手段に表示する第３の処理と、
を実行することを特徴とする携帯情報端末。
【請求項２４】
自らを構成する前記情報処理手段に、前記情報管理サーバ装置から別途配信された所定の情報取得プログラムを実行させることによって、前記第１の処理ないし第３の処理を行うこと
を特徴とする請求項２３に記載の携帯情報端末。
【発明の詳細な説明】
【技術分野】
【０００１】
本発明は、店舗や施設などへの集客を図るための店舗情報配信方法、店舗情報配信システム、情報管理サーバ装置および携帯情報端末に関する。
【背景技術】
【０００２】
近年、インターネットのＷＥＢに掲載される広告が、第３の広告媒体として注目を集めている。そして、そのインターネット広告における広告主は、ＷＥＢ閲覧者の関心事項ごとに会員などを集めることにすれば、さらに、ＷＥＢ閲覧者の個人的な嗜好や要求に合わせた個別的な広告情報を、その閲覧者に個別的に配信することができるようにもなる。しかしながら、そのような広告配信であっても、それによってどれだけの集客効果があるかについては、その効果を具体的に保証できるものではない。
【０００３】
そこで、従来から、集客効果を向上させる様々な方法が提案され、実施もされている。例えば、特許文献１には、広告情報にあわせて商品の割引クーポンを配信したり、商品についての付加価値情報（例えば、特売品の食材について、その食材を用いたレシピ情報など）を配信したりすることにより、広告の集客効果を向上させる情報配信システムが開示されている。また、特許文献２には、遊技場などの店舗から会員の携帯電話装置などの携帯情報端末に、暗号化した雑誌の記事情報、音楽データ、店舗での遊技券などを配信し、店舗の端末でその暗号を複合化するキーデータを配信することにより、会員の来店効果を向上させる情報配信システムが開示されている。
【０００４】
一方では、会員であることの確認や、店舗クーポン、店舗情報などの提供などを容易にするための手段として、ＩＣ（Integrated Circuits）タグを内蔵した会員カード（例えば、ＦｅｌｉＣａ（登録商標）、Ｓｕｉｃａ（登録商標）など）や、同様のＩＣタグを内蔵した携帯電話装置が普及し始めている。その携帯電話装置では、店舗クーポン、店舗情報の提供だけでなく、そのクーポンを会員間で交換しあったりするシステムとして、トルカ（ＴｏｒｕＣａ：登録商標）などが実用に供されている。
【特許文献１】特開２００３−２１６８６０号公報
【特許文献２】特開２００５−３２６９４２号公報
【非特許文献１】“トルカについて”、［online］、株式会社エヌ・ティ・ティ・ドコモ、［２００６年３月３日検索］、インターネット＜URL：http://www.nttdocomo.co.jp/service/imode/ osaifu/toruca/index.html＞
【発明の開示】
【発明が解決しようとする課題】
【０００５】
しかしながら、特許文献１または特許文献２に開示されている情報配信システムにおいては、割引クーポンや付加価値情報を含んだ広告情報は、会員全体に対して時期を選ばず配信される。すなわち、広告情報は、会員がその広告情報を必ずしも必要としていない日や時期にも配信される。従って、その分、その広告情報の効果が低下することになる。
【０００６】
また、これらの情報配信システムにおいては、広告主が多数のチェーン店などを経営しているような場合、配信される広告情報は、すべてのチェーン店に共通する広告情報にならざるを得ない面があった。その理由は、それぞれの店舗の独自のイベントや特売情報など詳細な情報を提供しようとすれば、配信する情報量が多くなり、特に、携帯電話装置などの携帯情報端末では、表示量や通信費などの面での不利があったからである。
【０００７】
また、トルカ（登録商標）などのシステムにおいては、店舗端末からその店舗独自の店舗情報を提供できるようにされているが、インターネットなどで配信する広告情報とその店舗端末から提供する店舗情報とは、特には関連付けがされていない。従って、インターネットなどで配信する広告情報の広告効果を、店舗端末からの店舗情報のアクセス回数などで推し量ることはできない。
【０００８】
以上の従来技術の問題点に鑑み、本発明の目的は、広告情報を欲しがっているユーザに効率よく広告情報を配信し、店舗への効果的な集客を図ることができ、また、店舗に来店したユーザに対し、そのユーザの求めに応じて、店舗独自の詳細な広告情報を配信することができ、さらには、前記配信した広告情報の集客効果を表す情報を取得することができる店舗情報配信方法、店舗情報配信システム、情報管理サーバ装置および携帯情報端末を提供することにある。
【課題を解決するための手段】
【０００９】
本発明は、所定のカテゴリの店舗のイベント情報を記憶したイベント情報記憶手段、並びに、所定の店舗の商品および施設に係る情報を記憶した店舗情報記憶手段を少なくとも備えた情報管理サーバ装置と、表示手段を少なくとも備えた携帯情報端末と、店舗に設置される店舗端末と、を含んで構成された店舗情報配信システムにおいて、（１）前記携帯情報端末が、前記情報管理サーバ装置に対し、カテゴリを指定してイベント情報の配信を求めるイベント情報配信要求情報を送信し、（２）前記情報管理サーバ装置が、前記イベント情報配信要求情報を受信したときには、前記指定されたカテゴリのイベント情報を前記イベント情報記憶手段から取得し、その取得したイベント情報を前記携帯情報端末へ配信し、（３）前記携帯情報端末が、前記配信されたイベント情報を受信し、その受信したイベント情報を前記表示手段に表示し、（４）前記携帯情報端末が、前記店舗端末からその店舗端末の識別情報を取得したときには、その店舗端末が設置された店舗の店舗情報の配信を求める店舗情報配信要求情報に、前記取得した店舗端末の識別情報を添付して、前記情報管理サーバ装置へ送信し、（５）前記情報管理サーバ装置が、前記店舗情報配信要求情報を受信したときには、前記店舗の前記店舗情報を前記店舗情報記憶手段から取得し、その取得した店舗情報を前記携帯情報端末へ配信し、（６）前記携帯情報端末が、前記配信された店舗情報を受信し、その受信した店舗情報を前記表示手段に表示することを特徴とする。
【００１０】
本発明によれば、情報管理サーバ装置は、ユーザが所持する携帯情報端末から配信の要求があったときに、店舗のイベント情報を配信する。従って、店舗のイベント情報は、無差別に配信されるのではなく、その店舗情報を欲しているユーザに配信される。また、情報管理サーバ装置は、ユーザが店舗を訪れ、携帯情報端末と店舗端末との間でデータ通信が行われたとき、そのユーザの携帯情報端末へ店舗の商品や施設に係る店舗情報を配信する。従って、ユーザは、店舗の詳細な情報を取得するためには、店舗を訪れる必要があるので、店舗のイベント情報の配信は、集客効果を期待することができる。また、情報管理サーバ装置は、ユーザの来店データを収集することができるので、店舗のイベント情報の配信の効果を確認することができる。
【発明の効果】
【００１１】
店舗情報を欲しているユーザに広告情報を配信し、店舗への効果的な集客を図ることができる。また、店舗に来店したユーザに対し、そのユーザの求めに応じて、店舗独自の詳細な広告情報を配信することができ、さらには、前記配信した広告情報の集客効果を確認する情報を取得することが可能となる。
【発明を実施するための最良の形態】
【００１２】
以下、図面を用いて本発明の実施形態について詳しく説明する。
【００１３】
（第１の実施形態）
図１は、本発明の第１の実施形態に係る店舗情報配信システムの全体のブロック構成の例を示した図である。
【００１４】
図１に示すように店舗情報配信システム１０は、ユーザが携帯する携帯電話装置１、ユーザの携帯電話装置１に配信する広告情報などを管理する情報管理サーバ装置２、店舗に配置され、携帯電話装置１との間で微弱電波での近距離データ通信が可能な店舗端末３、広告主が所有する店舗管理サーバ装置６などを含んで構成される。
【００１５】
ここで、携帯電話装置１と情報管理サーバ装置２との間は、携帯電話基地局５、携帯電話通信網やインターネットなどを含んで構成された通信ネットワーク４を介して接続される。また、店舗管理サーバ装置６と、店舗端末３と、情報管理サーバ装置２との間も、同様の通信ネットワーク４を介して接続される。
【００１６】
また、携帯電話装置１は、ＩＣタグ１１を備え、店舗端末３は、ＩＣタグリーダ・ライタ（以下、「ＩＣタグＲＷ」と略称する）３１を備える。そして、ＩＣタグ１１とＩＣタグＲＷ３１とは、例えば、１０ｃｍ以内程度の距離での無線通信を行う近距離無線通信装置を備えている。従って、携帯電話装置１を店舗端末３のＩＣタグＲＷ３１の設置位置近傍にかざすと、ＩＣタグ１１とＩＣタグＲＷ３１との間で所定の微弱電波により所定のプロトコルに従ってデータ通信が行われる。
【００１７】
なお、このとき用いられるＩＣタグ１１の仕様は、前記したＦｅｌｉＣａ（登録商標）と同じであってもよく、また、それと同様の機能および構成を有する他のＩＣタグであってもよい。
【００１８】
図２は、本発明の第１の実施形態に係る携帯電話装置のブロック構成の例を示した図であり、図３は、その携帯電話装置に内蔵されているＩＣタグの内部構成の例を示した図である。
【００１９】
図２に示すように、携帯電話装置１は、ＣＰＵ（Central Processing Unit）１２００、メモリ１２０１などからなる情報処理部１２に、携帯電話基地局５との通信を行う通信装置１３、電気信号と音声信号との相互変換を行う送受話器１４、操作者がデータを入力するキーボタン入力装置１５、ＬＣＤ（Liquid Crystal Display）などからなる表示装置１６、ＩＣタグ１１などが接続されて構成される。ここで、ＣＰＵ１２００は、フラッシュメモリなど電気的に書き換え可能な不揮発性メモリなどからなるメモリ１２０１に格納されている所定のプログラムを実行することによって、通信装置１３、送受話器１４、キーボタン入力装置１５、表示装置１６をなど適宜制御して携帯電話装置１の所定の機能を実現する。
【００２０】
また、図３に示すように、ＩＣタグ１１は、ＣＰＵ１１００と、フラッシュメモリなど電気的に書き換え可能な不揮発性メモリなどからなるメモリ１１０１と、外部に対して有線で接続するＩ／Ｏポート１１０２と、近距離無線通信部１１０３と、を含んで構成される。メモリ１１０１の所定の領域には、ＩＣタグ１１をユニークに識別可能にするタグＩＤを記憶するタグＩＤ記憶部１１１が設けられている。
【００２１】
タグＩＤは、携帯電話装置１またはそのユーザを識別する情報として、ＩＣタグ１１とＩＣタグＲＷ３１との間でデータ通信が行われるときには、常に、携帯電話装置１から店舗端末３へ送信される。また、携帯電話装置１の情報処理部１２は、いつでも、有線Ｉ／Ｏポート１１０２を介して、タグＩＤ記憶部１１１に記憶されているタグＩＤを読み出すことができる。
【００２２】
図４は、本発明の第１の実施形態に係る店舗情報配信システムの機能ブロックの構成の例を示した図であり、図５は、その店舗情報配信システムで用いられる情報の構成の例を示した図である。
【００２３】
図４に示すように、携帯電話装置１においては、ユーザアプリ取得部１２１、イベント情報取得・表示部１２２、店舗情報取得・表示部１２３などの機能ブロックが情報処理部１２上に構成される。すなわち、これらの機能ブロックの機能は、情報処理部１２のＣＰＵ１２００（図２参照）がメモリ１２０１に格納されている所定のプログラムを実行することによって実現される。なお、これらの機能ブロックの詳細な機能については、後記する。
【００２４】
一方、ＩＣタグ１１には、前記したタグＩＤ記憶部１１１のほかにタグＩＤ送信部１１２と、店舗ＩＤ受信部１１３とが構成されている。また、店舗端末３のＩＣタグＲＷ３１には、タグＩＤ受信部３１１と、店舗ＩＤ送信部３１２とが構成されている。
【００２５】
ここで、ユーザが携帯電話装置１を店舗端末３の設置位置近傍にかざすと、ＩＣタグ１１とＩＣタグＲＷ３１との間で、所定の微弱電波による近距離データ通信が行われる。すなわち、そのデータ通信において、タグＩＤ記憶部１１１に記憶されているタグＩＤは、タグＩＤ送信部１１２によってＩＣタグＲＷ３１へ送信される。送信されたタグＩＤは、ＩＣタグＲＷ３１のタグＩＤ受信部３１１によって受信され、その受信を契機として、店舗ＩＤ送信部３１２は、その店舗端末３に付されている店舗ＩＤをＩＣタグ１１へ送信する。そして、ＩＣタグ１１の店舗ＩＤ受信部１１３は、その送信された店舗ＩＤを受信して、その店舗ＩＤを情報処理部１２へ入力する。
【００２６】
さらに、図４に示すように、情報管理サーバ装置２は、ユーザアプリ配信部２１１、イベント情報配信部２１２、店舗情報配信部２１３、来店情報集計部２１４などの機能処理部と、ユーザアプリ記憶部２２１、イベント情報記憶部２２２、ユーザ情報記憶部２２３、店舗情報記憶部２２４、来店情報記憶部２２５などの情報記憶部と、を含んで構成される。ここで、情報管理サーバ装置２は、特に図示しないが、情報処理部としてのＣＰＵと、主記憶部としてのメモリと、補助記憶部としてのハードディスク装置などを含んで構成される。そして、前記機能処理部の機能は、前記情報処理部が前記メモリにロードされている所定のプログラムを実行することによって実現される。また、前記情報記憶部は、通常、ハードディスク装置に割り当てられた所定の記憶領域として実現される。
【００２７】
なお、前記機能処理部の機能の詳細については、携帯電話装置１の情報処理部１２の機能ブロックの機能の詳細に併せて後記する。
【００２８】
次に、図５を参照して、本実施形態で使用する各種情報の構成について説明する。
【００２９】
ユーザ情報は、情報管理サーバ装置２がコンテンツを配信する携帯電話装置１のユーザに係る情報であり、ユーザＩＤ、コンテンツＩＤ、年令、ユーザ属性情報を含んで構成される。ユーザ情報は、後記するように、情報管理サーバ装置２が携帯電話装置１からのコンテンツ配信の要求を受付けたときに作成され、ユーザ情報記憶部２２３に記憶される。
【００３０】
ユーザＩＤは、ユーザの識別情報であり、ここでは、ユーザＩＤとして携帯電話装置１のＩＣタグ１１に付されたタグＩＤを利用するものとする。また、ユーザＩＤは、タグＩＤに代えて、携帯電話装置１に付された識別情報を用いてもよい。
【００３１】
コンテンツＩＤは、ユーザが希望する店舗情報のコンテンツを識別する情報である。例えば、店舗情報配信システム１０が、あるパチンコチェーン店の情報、あるホテルチェーン店の情報、ある地域の温泉宿の情報などを有する場合、それぞれの情報は、異なるコンテンツとして提供され、そのコンテンツを識別する情報として、コンテンツＩＤが使用される。
【００３２】
年令は、ユーザの年令であって、ユーザに提供するコンテンツに法的な制限がある場合には、そのコンテンツを配信しないようにする目的で使用する。例えば、パチンコチェーン店の情報は、１８歳未満のユーザには配信しないようにし、酒店舗の情報は、２０歳未満のユーザには配信しないようにする。なお、年令は、年令そのものでなく、年令区分であってもよく、生年月日であってもよい。また、年令は、例えば、ユーザが希望するコンテンツなどの問い合わせ画面（後記の図７参照）などにより取得するが、ユーザが配信を希望するコンテンツによっては、年令を取得せず、年令のフィールドを空欄のままにしておいてもよい。
【００３３】
ユーザ属性情報は、性別や住所などの種々のユーザ属性情報であり、コンテンツにより必要な場合、または、便利な場合に使用する。通常は、空欄であってもよい。
【００３４】
コンテンツ属性情報は、コンテンツＩＤごとに作成され、コンテンツＩＤと年令制限情報とを含んで構成される。ここで、年令制限情報は、コンテンツＩＤによって指定されるコンテンツに係る法的な年令情報であり、例えば、制限年令そのものであってもよく、制限年令フラグであってもよい。なお、制限年令フラグは、例えば、年令制限がない場合、“０”とし、１８歳未満制限ありの場合、“１”とし、２０歳未満制限ありの場合、“２”とする、などのように定義する。
【００３５】
なお、以上において、コンテンツとは、情報管理サーバ装置２が携帯電話装置１に配信する情報をいい、具体的には、イベント情報記憶部２２２および店舗情報記憶部２２４に記憶されている情報、さらには、それらの情報によりリンクされている他の記憶領域または他のコンピュータの記憶領域に記憶されている情報を指すものとする。以下、本明細書で同じように使用する。
【００３６】
図５において、来店情報は、店舗ＩＤ、ユーザＩＤ、来店日時を含んで構成され、来店情報記憶部２２５に記憶される。ここで、店舗ＩＤは、店舗をユニークに識別するための情報であり、本実施形態では、例えば、店舗端末３またはＩＣタグＲＷ３１に設定しておく。なお、来店情報は、携帯電話装置１を所持したユーザがある店舗へ来店して、その携帯電話装置１を店舗端末３にかざし、携帯電話装置１と店舗端末３との間で所定の近距離データ通信が行われたときに作成される。
【００３７】
来店集計情報は、所定の期間（例えば、１日、１週、１月など）ごとに、店舗ごとの前記の来店情報を集計した情報である。ここでは、その来店集計情報は、店舗ＩＤ、延来店人数、実来店人数、平均来店回数などの情報を含んで構成される。来店集計情報は、来店情報集計部２１４により作成され、作成された来店集計情報は、広告主が所有する店舗管理サーバ装置６へ送信され、店舗管理サーバ装置６に来店集計情報６１１として記憶される。
【００３８】
図６は、本発明の第１の実施形態において情報管理サーバ装置から携帯電話装置へユーザアプリを配信するユーザアプリ配信処理の流れの例を示した図である。また、図７は、ユーザアプリ配信処理の中で携帯電話装置に表示される表示画面の例を示した図である。以下、ユーザアプリ配信処理の流れについて、図６、図７および図４を参照しながら説明する。
【００３９】
まず、図４および図６において、ユーザアプリとは、情報管理サーバ装置２から携帯電話装置１へ配信する携帯電話装置１のアプリケーションプログラムをいい、具体的には、携帯電話装置１においてイベント情報取得・表示部１２２、店舗情報取得・表示部１２３の機能を実現するためのプログラムを指す。なお、ユーザアプリとして、そのほかにゲーム、占い、カレンダーなどのプログラムを含んでもよい。ユーザアプリは、ユーザアプリ記憶部２２１に記憶される。
【００４０】
本実施形態においては、コンテンツの配信を受けようとするユーザは、所有する携帯電話装置１を操作して、ユーザアプリ取得部１２１を起動すると、携帯電話装置１の情報処理部１２は（以下、単に、「携帯電話装置１は」という）、まず、情報管理サーバ装置２に対して、ユーザアプリのダウンロードを要求する（ステップＳ１１）。なお、この処理は、通常、携帯電話装置１に標準的に付属しているＷＥＢブラウザによって実現可能である。
【００４１】
情報管理サーバ装置２のユーザアプリ配信部２１１の処理は、情報管理サーバ装置２の情報処理部（図４に図示せず）が携帯電話装置１からのユーザアプリのダウンロード要求を受け付けることによって起動される。そこで、情報管理サーバ装置２の情報処理部は（以下、単に、「情報管理サーバ装置２は」という）、携帯電話装置１に対してユーザが求めるコンテンツのコンテンツ名やユーザの年令などを問い合わせる情報を送信する（ステップＳ２１）。
【００４２】
携帯電話装置１は、その問い合わせ情報を受信すると、その問い合わせ情報に基づき、表示装置１６にその問い合わせ画面を表示する（ステップＳ１２）。図７に示すように、その問い合わせ画面においては、コンテンツ名などが表示され、ユーザは、そのチェックボックスにチェックマークを入れることによって、希望のコンテンツを選択できるようにされている。また、必要に応じて、年令も入力することができる。
【００４３】
そこで、ユーザが希望のコンテンツを選択し、年令を入力すると、携帯電話装置１は、その選択されたコンテンツのコンテンツＩＤ、ユーザの年令などの情報を情報管理サーバ装置２へ送信する（ステップＳ１３）。
【００４４】
次に、情報管理サーバ装置２は、そのコンテンツＩＤ、ユーザの年令などの情報を受信すると（ステップＳ２２）、コンテンツ属性情報を参照して、そのコンテンツに年令制限があるか否かをチェックし、ユーザの年令がその年令条件をクリアしているか否かを判定する（ステップＳ２３）。その判定の結果、年令条件をクリアしていた場合には（ステップＳ２３でＹｅｓ）、情報管理サーバ装置２は、ユーザアプリ記憶部２２１に記憶されている所定のユーザアプリを携帯電話装置１にダウンロードする（ステップＳ２４）。
【００４５】
携帯電話装置１は、そのダウンロードされたユーザアプリを受信し（ステップＳ１４）、その受信したユーザアプリを情報処理部１２のメモリ１２０１に格納する（ステップＳ１５）。そして、携帯電話装置１は、タグＩＤ記憶部１１１からタグＩＤを読み出し、その読み出したタグＩＤをユーザＩＤとして情報管理サーバ装置２へ送信する（ステップＳ１６）。
【００４６】
次に、情報管理サーバ装置２は、そのユーザＩＤを受信すると（ステップＳ２５）、そのユーザＩＤに、先に受信していたユーザが希望するコンテンツＩＤとユーザの年令とを併せてユーザ情報とし、ユーザ情報記憶部２２３に蓄積する（ステップＳ２６）。本実施形態の場合、このユーザ情報のユーザ情報記憶部２２３への蓄積は、いわゆるユーザ情報の登録に相当する。また、ステップＳ２３の判定で、ユーザの年令が年令条件をクリアしていなかったときには（ステップＳ２３でＮｏ）、ユーザアプリのダウンロードは行われず、ユーザ情報の登録も行われない。なお、このときには、年令が法廷年令に達していない旨を示す警告メッセージを携帯電話装置１へ送信し、その警告メッセージをその表示装置１６に表示するようにしてもよい。
【００４７】
図８は、本発明の第１の実施形態において情報管理サーバ装置から携帯電話装置へイベント情報を配信するイベント情報配信処理の流れの例を示した図である。また、図９は、イベント情報配信処理の中で携帯電話装置に表示される表示画面の例を示した図である。以下、イベント情報配信処理の流れについて、図８、図９および図４を参照しながら説明する。
【００４８】
ここで、イベント情報とは、あるカテゴリに属する店舗または施設についての情報を、主として、その店舗または施設のイベントやトピックス的な情報としてまとめた情報である。この場合、イベント情報記憶部２２２を、いわゆる、ＷＥＢサーバに開設されたホームページの記憶領域としておくことにすれば、広告主は、例えば、店舗管理サーバ装置６などからイベント情報を容易に書き込むことができる。
【００４９】
一般には、イベント情報のような広告情報は、電子メールなどの形態で情報管理サーバ装置２から携帯電話装置１へ送信されることが多いが、本実施形態では、ユーザが欲したときに、携帯電話装置１からイベント情報の取得要求を発信し、情報管理サーバ装置２は、その取得要求に応じてイベント情報を配信する。従って、ユーザは、イベント情報を取得するためには、まず、携帯電話装置１を操作して、イベント情報取得・表示部１２２の処理を起動する。
【００５０】
イベント情報取得・表示部１２２の処理が開始されると、携帯電話装置１は、まず、その表示装置１６に所定の初期画面を表示する（ステップＳ３１）。ここで、その表示画面には、例えば、カレンダーや地域図などが表示され、ユーザは、店舗でイベントが行われる月日や店舗が所在する地域などを選択することができる。そこで、携帯電話装置１は、その月日や地域の情報を付随情報として取得し（ステップＳ３２）、ユーザが配信を登録しているコンテンツのコンテンツＩＤと、前記取得した付随情報と、ユーザＩＤと、を情報管理サーバ装置２へ送信して（ステップＳ３３）、イベント情報の配信を求める。
【００５１】
情報管理サーバ装置２は、その送信されたコンテンツＩＤと、付随情報と、ユーザＩＤと、を受信し（ステップＳ４１）、そのユーザＩＤに基づき、ユーザ情報記憶部２２３を参照して（ステップＳ４２）、そのユーザＩＤが登録ユーザのものであるか否かを判定し（ステップＳ４３）、さらに、コンテンツ属性情報の年令制限情報を参照して、そのユーザがそのコンテンツの年令条件をクリアしているか否かを判定する（ステップＳ４４）。
【００５２】
これらの判定の結果、イベント情報の配信を求めたユーザが、登録ユーザであり、年令条件をクリアしていた場合には（ステップＳ４３、Ｓ４４のいずれでもＹｅｓ）、情報管理サーバ装置２は、イベント情報記憶部２２２から指定されたコンテンツＩＤ、付随情報に応じたイベント情報を取得し（ステップＳ４５）、その取得したイベント情報を携帯電話装置１へ配信する（ステップＳ４６）。
【００５３】
携帯電話装置１は、その配信されたイベント情報を受信し（ステップＳ３４）、その受信したイベント情報を、図９に示した表示例のように、表示装置１６に表示する（ステップＳ３５）。
【００５４】
また、前記判定の結果、イベント情報の配信を求めたユーザが、登録ユーザでなかった場合（ステップＳ４３でＮｏ）、または、年令条件をクリアしていなかった場合には（ステップＳ４４でＮｏ）、携帯電話装置１は、イベント情報を配信しない。なお、このとき、携帯電話装置１は、ユーザ登録がされていない旨、または、年令が法廷年令に達していない旨の警告メッセージを配信し、その警告メッセージを携帯電話装置１の表示装置１６に表示するようにしてもよい。
【００５５】
なお、図９の例に示すように、イベント情報には、単なる店舗のイベント情報だけでなく、その店舗情報と同じカテゴリの一般的な情報を含んでもよい。例えば、店舗情報がパチンコのチェーン店であれば、人気パチンコ機種の攻略方法や攻略データなど、従来は雑誌などに掲載されていたような情報をイベント情報に含めてもよい。あるいは、逆に、あるカテゴリの雑誌記事のような一般的な情報に店舗のイベント情報を混載する情報であってもよい。
【００５６】
また、図９において、イベント情報や一般情報は、１行程度で表示されているが、その行に対しさらに詳しい情報を表示するためのリンクを張っておいてもよい。その場合には、ユーザがその行を選択してクリックなどすれば、携帯電話装置１は、リンク先の詳しい情報をアクセスして表示する。
【００５７】
こうすることによって、ユーザに配信するイベント情報がユーザにとってより魅力的な情報となるので、ユーザは、より頻繁にイベント情報を求めるようになる。その分、店舗のイベント情報の広告の効果を向上させることができる。
【００５８】
図１０は、本発明の第１の実施形態において情報管理サーバ装置から携帯電話装置へ店舗情報を配信する店舗情報配信処理の流れの例を示した図である。以下、イベント情報配信の処理の流れについて、図１０および図４を参照しながら説明する。
【００５９】
ここで、店舗情報とは、指定された店舗における商品、設備、サービスに係る情報であり、特に、ユーザにとって得になる情報をいう。例えば、店舗がパチンコ店であれば、店内出玉情報など、また、店舗がスーパーマーケットであれば、本日の特価品情報などである。これらの店舗情報は、ユーザが店舗へ足を運び、ユーザが所持する携帯電話装置１と店舗端末３との間で、実際にデータの送受信が行われたときに、情報管理サーバ装置２から携帯電話装置１へ配信される。
【００６０】
まず、ユーザが携帯電話装置１を店舗端末３の所定の位置にかざすと、携帯電話装置１のＩＣタグ１１と、店舗端末３のＩＣタグＲＷ３１との間で所定のデータ通信が行われ、それによって、携帯電話装置１の店舗情報取得・表示部１２３の処理が開始される。すなわち、携帯電話装置１は、まず、その通信によって、店舗端末３から店舗ＩＤを取得する（ステップＳ５１）。そして、携帯電話装置１は、ユーザが配信を登録しているコンテンツのコンテンツＩＤと、前記取得した店舗ＩＤと、ユーザＩＤと、を情報管理サーバ装置２へ送信して（ステップＳ５２）、店舗情報の配信を求める。
【００６１】
情報管理サーバ装置２は、その送信されたコンテンツＩＤと、店舗ＩＤと、ユーザＩＤと、を受信し（ステップＳ６１）、そのユーザＩＤに基づき、ユーザ情報記憶部２２３を参照して（ステップＳ６２）、そのユーザＩＤが登録ユーザのものであるか否かを判定し（ステップＳ６３）、さらに、コンテンツ属性情報の年令制限情報を参照して、そのユーザがそのコンテンツの年令条件をクリアしているか否かを判定する（ステップＳ６４）。
【００６２】
これらの判定の結果、店舗情報の配信を求めたユーザが、登録ユーザであり、年令条件をクリアしていた場合には（ステップＳ６３、Ｓ６４のいずれでもＹｅｓ）、情報管理サーバ装置２は、店舗情報記憶部２２４から指定された店舗ＩＤに対応する店舗情報を取得し（ステップＳ６５）、その取得した店舗情報を携帯電話装置１へ配信する（ステップＳ６６）。また、情報管理サーバ装置２は、先に取得した店舗ＩＤとユーザＩＤとにそのときの日時情報を付加して、来店情報を作成し、その来店情報を来店情報記憶部２２５に蓄積する（ステップＳ６７）。
【００６３】
また、前記判定の結果、店舗情報の配信を求めたユーザが、登録ユーザでなかった場合（ステップＳ６３でＮｏ）、または、年令条件をクリアしていなかった場合には（ステップＳ６４でＮｏ）、店舗情報を配信せず、また、来店情報を作成しない。なお、このとき、携帯電話装置１は、ユーザ登録がされていない旨、または、年令が法廷年令に達していない旨の警告メッセージを配信し、その警告メッセージを携帯電話装置１の表示装置１６に表示するようにしてもよい。
【００６４】
一方、携帯電話装置１は、前記配信された店舗情報を受信し（ステップＳ５３）、その受信した店舗情報を、表示装置１６に表示する（ステップＳ５４）。このようにして、ユーザは、ユーザにとって「お得な」店舗情報を得ることができる。
【００６５】
以上、本発明の第１の実施形態によれば、携帯電話装置１のユーザは、情報管理サーバ装置２にそのカテゴリを指定してコンテンツの配信を求める登録をすると、情報管理サーバ装置２からそのコンテンツに係る店舗の情報を取得して表示する携帯電話装置１のアプリケーションプログラム（ユーザアプリ）が配信される。ユーザは、そのユーザアプリを携帯電話装置１に実行させることによって、いつでも簡単な操作で、登録したカテゴリの店舗のイベント情報、さらには、そのカテゴリの一般的な情報を取得することができる。この場合、ユーザは、そのカテゴリに関して、強い関心を持っているとみなすことができ、また、自発的に広告情報を取得するものであるから、そのようなユーザに対する広告効果は大きいと考えられる。
【００６６】
また、ユーザがその店舗のイベント情報を閲覧するなどして、その店舗を訪れたとき、所持する携帯電話装置１を店舗端末３のＩＣタグＲＷ３１設置位置近傍にかざすと、その携帯電話装置１には、その店舗独自の特価情報などが表示される。すなわち、ユーザは、その店舗の「お得な」情報を取得することができる。一方、情報管理サーバ装置２は、ユーザのその店舗への来店情報、さらには、その集計情報を取得することができる。その集計されたユーザの来店情報は、広告主に提供される。
【００６７】
従って、本実施形態においては、広告主は、集客効率のよい広告効果を得ることができるだけでなく、顧客の来店情報などの行動に係る情報を取得することができる。
【００６８】
なお、以上に説明した店舗情報配信システム１０においては、広告主が情報管理サーバ装置２の運用管理者に対し、例えば、来店情報集計部２１４によって集計された各店舗の延来店人数に応じて、広告情報（イベント情報および店舗情報）の配信料を支払うようにすることができる。この場合、広告主は、広告の集客効果に見合った広告料を支払うことになるので、このような配信料の決め方は、極めて合理的といえる。また、このとき、ユーザに対して、情報配信料を無料にしておくことにより、登録ユーザ、つまり、広告の閲覧者の増加を期待することができる。
【００６９】
（第２の実施形態）
図１１は、本発明の第２の実施形態に係る店舗情報配信システムの機能ブロックの構成の例を示した図である。
【００７０】
第２の実施形態に係る店舗情報配信システム１０ａと、第１の実施形態に係る店舗情報配信システム１０（図４参照）とは、その主要な機能および概略の構成は、そのほとんどが同じであり、一部について細部の機能および構成が異なっているだけである。ここでは、同じ構成要素については同じ符号を付し、その説明を省略し、相違する部分の構成および機能について説明する。
【００７１】
機能的な相違は、次の１点である。すなわち、第１の実施形態では、ユーザが携帯電話装置１を店舗端末３にかざしたとき、情報管理サーバ装置２は店舗情報をユーザの携帯電話装置１へ配信するとしているが、第２の実施形態では、情報管理サーバ装置２ａは、店舗情報をユーザの携帯電話装置１ａへ配信せずに、店舗端末３ａへ配信し、店舗端末３ａは、その配信された店舗情報を表示装置（図示せず）に表示する。
【００７２】
このような機能を実現するために、店舗端末３ａは、店舗情報表示部３１３を備える。また、店舗端末３ａは、店舗ＩＤを携帯電話装置１ａへ送信する必要がないので、ＩＣタグＲＷ３１（図４）を必ずしも備える必要はなく、代わりに、ＩＣタグリーダ３１ａを備える。
【００７３】
また、携帯電話装置１ａは、店舗端末３ａから店舗ＩＤを取得する必要がないので、ＩＣタグ１１ａは、店舗ＩＤ受信部１１３（図４）を備える必要がない。また、携帯電話装置１ａは、店舗情報を取得し、表示する必要がないので、店舗情報取得・表示部１２３（図４）を備える必要がない。その分、携帯電話装置１ａのハードウエアの負担を減ずることができる。
【００７４】
以上のような構成において、ユーザが携帯電話装置１ａを店舗端末３ａのＩＣタグリーダ３１ａの設置位置の近傍にかざしたとき、店舗端末３ａは、携帯電話装置１ａからタグＩＤ、つまり、ユーザＩＤを取得し、その取得したユーザＩＤに自らの店舗ＩＤを添付して、情報管理サーバ装置２ａへ送信する。情報管理サーバ装置２ａは、その送信されたユーザＩＤおよび店舗ＩＤを受信し、店舗情報配信部２１３ａにより以下の処理を行う。
【００７５】
すなわち、情報管理サーバ装置２ａは、その受信したユーザＩＤに基づきユーザ情報記憶部２２３を参照して、登録ユーザであること、配信するコンテンツの年令条件を判定する。そして、登録ユーザであること、年令条件を満たすことを確認すると、情報管理サーバ装置２ａは、店舗ＩＤに基づき店舗情報記憶部２２４を参照して、所定の店舗情報を取得し、その取得した店舗情報を店舗端末３ａへ送信する。
【００７６】
店舗端末３ａは、店舗情報表示部３１３により、情報管理サーバ装置２ａから送信された店舗情報を受信し、その受信した店舗情報を表示装置（図示せず）に表示する。また、店舗端末３ａは、ユーザ登録されていなかったとき、または、年令条件を満たしていなかったときには、その旨を示す警告メッセージなどを表示する。
【００７７】
（第３の実施形態）
図１２は、本発明の第３の実施形態に係る店舗情報配信システムの機能ブロックの構成の例を示した図である。
【００７８】
第３の実施形態に係る店舗情報配信システム１０ｂと、第１の実施形態に係る店舗情報配信システム１０（図４参照）とは、その主要な機能および概略の構成は、そのほとんどが同じであり、一部について細部の機能および構成が異なっているだけである。ここでは、同じ構成要素については同じ符号を付し、その説明を省略し、相違する部分の構成および機能について説明する。
【００７９】
本実施形態においては、携帯電話装置１ｂは、ＩＣタグ１１ｂを内蔵せず、従って、ＩＣタグ１１ｂは、例えば、ＦｅｌｉＣａ（登録商標）などのＩＣカードに内蔵されたものを利用する。この場合、ＩＣタグ１１ｂは、タグＩＤ記憶部１１１と、タグＩＤ送信部１１２とを含んで構成され、また、店舗端末３ｂは、タグＩＤ受信部３１１を備えたＩＣタグリーダ３１ａと、パスワード表示部３２２とを含んで構成される。
【００８０】
本実施形態においては、携帯端末装置１ｂの情報処理部１２ｂは、ＩＣタグ１１ｂのタグＩＤを取得することができない。そこで、携帯端末装置１ｂは、ユーザアプリ取得部１２１ｂ、イベント情報取得・表示部１２２ｂ、店舗情報取得・表示部１２３ｂの処理においては、ユーザＩＤとして携帯電話装置１ｂに付された識別情報を情報管理サーバ装置２ｂへ送信する。一方で、携帯端末装置１ｂは、ユーザを識別する情報としてＩＣタグ１１ｂのタグＩＤを、店舗端末３ｂを介して受信する。従って、ユーザＩＤ（携帯電話装置１ｂの識別情報）とタグＩＤとの関連付け（紐付け）を行う必要がある。
【００８１】
そして、その関連付けが行われた情報は、情報管理サーバ装置２ｂのユーザ情報記憶部２２３ｂに蓄積される。従って、ユーザ情報は、図５に示したユーザＩＤ、コンテンツＩＤ、年令、ユーザ属性情報に、さらに、タグＩＤが加えられて構成される。
【００８２】
本実施形態において、ユーザＩＤ（携帯電話装置１ｂの識別情報）とタグＩＤとの紐付けを行うため、携帯端末装置１ｂはタグＩＤ紐付け部２１５を、店舗端末３ｂはパスワード表示部３２２を、携帯電話１ｂはパスワード入力部１２４を備える。
【００８３】
以上のような構成において、ユーザが携帯電話装置１ｂからユーザアプリのダウンロードをすると、情報管理サーバ装置２ｂは、ユーザアプリ配信部２１１の処理において、ユーザ情報を作成し、その作成したユーザ情報記憶部２２３ｂに蓄積する。ただし、このとき、ユーザ情報のタグＩＤのフィールドは空欄のままにされている。
【００８４】
一方、ユーザが店舗を訪れ、所持するＩＣカードを店舗端末３ｂのＩＣタグリーダ３１ａの近傍にかざしたときには、そのＩＣカードに内蔵されたＩＣタグ１１ｂからタグＩＤが、店舗端末３ｂを介して情報管理サーバ装置２ｂへ送信される。そのとき、情報管理サーバ装置２ｂは、ユーザ情報記憶部２２３ｂを参照して、そのタグＩＤのユーザ情報が存在しないときには、タグＩＤ紐付け部２１５を実行することにより、例えば、所定の桁数の乱数を発生し、その乱数をパスワードとして、店舗端末３ｂへ送信する。店舗端末３ｂは、そのパスワードを受信して、パスワード表示部３２２により、表示装置（図示せず）に表示する。
【００８５】
ユーザは、その表示されたパスワードを見て、そのキーボタン入力装置１５などを介してパスワードを携帯電話装置１ｂの情報処理部１２ｂへキーインする。携帯電話装置１ｂは、パスワード入力部１２４により、そのキーインされたパスワードを読み取り、その読み取ったパスワードと、携帯電話装置１ｂに付されている識別情報、つまり、ユーザＩＤと、をセットにして、情報管理サーバ装置２ｂへ送信する。情報管理サーバ装置２ｂは、タグＩＤ紐付け部２１５によりそのパスワードとユーザＩＤとの情報を受信し、パスワードが同じであることを確認して、ＩＣタグ１１ｂから送信されたタグＩＤとユーザＩＤとを紐付け、その情報をユーザ情報記憶部２２３ｂに蓄積する。
【００８６】
以上のようにして、タグＩＤがユーザＩＤに紐付けられると、ユーザは、ほとんど、代の実施形態の場合と同じようにして、希望するコンテンツについてイベント情報および店舗情報の配信を受けることができる。そして、本実施形態の場合、ＩＣタグ１１ｂを内蔵しない古いタイプの携帯電話装置１ｂであっても、ＩＣタグ１１内蔵した新しいタイプの携帯電話装置１と同様のサービスを受けられるようになる。
【図面の簡単な説明】
【００８７】
【図１】本発明の第１の実施形態に係る店舗情報配信システムの全体のブロック構成の例を示した図である。
【図２】本発明の第１の実施形態に係る携帯電話装置のブロック構成の例を示した図である。
【図３】本発明の第１の実施形態に係る携帯電話装置に内蔵されているＩＣタグの内部構成の例を示した図である。
【図４】本発明の第１の実施形態に係る店舗情報配信システムの機能ブロックの構成の例を示した図である。
【図５】本発明の第１の実施形態に係る店舗情報配信システムで用いられる情報の構成の例を示した図である。
【図６】本発明の第１の実施形態において情報管理サーバ装置から携帯電話装置へユーザアプリを配信するユーザアプリ配信処理の流れの例を示した図である。
【図７】本発明の第１の実施形態に係るユーザアプリ配信処理の中で携帯電話装置に表示される表示画面の例を示した図である。
【図８】本発明の第１の実施形態において情報管理サーバ装置から携帯電話装置へイベント情報を配信するイベント情報配信処理の流れの例を示した図である。
【図９】本発明の第１の実施形態に係るイベント情報配信処理の中で携帯電話装置に表示される表示画面の例を示した図である。
【図１０】本発明の第１の実施形態において情報管理サーバ装置から携帯電話装置へ店舗情報を配信する店舗情報配信処理の流れの例を示した図である。
【図１１】本発明の第２の実施形態に係る店舗情報配信システムの機能ブロックの構成の例を示した図である。
【図１２】本発明の第３の実施形態に係る店舗情報配信システムの機能ブロックの構成の例を示した図である。
【符号の説明】
【００８８】
１，１ａ，１ｂ    携帯電話装置
２，２ａ，２ｂ    情報管理サーバ装置
３，３ａ，３ｂ    店舗端末
４      通信ネットワーク
５      携帯電話基地局
６      店舗管理サーバ装置
１０，１０ａ，１０ｂ    店舗情報配信システム
１１，１１ｂ，１１ｃ    ＩＣタグ
１２，１２ａ，１２ｂ    情報処理部
１３    通信装置
１４    送受話器
１５    キーボタン入力装置
１６    表示装置
３１    ＩＣタグＲＷ（ＩＣタグリーダ・ライタ）
３１ａ，３１ｂ  ＩＣタグリーダ
１１１  タグＩＤ記憶部
１１２  タグＩＤ送信部
１１３  店舗ＩＤ受信部
１２１  ユーザアプリ取得部
１２２，１２２ｂ  イベント情報取得・表示部
１２３，１２２ｂ  店舗情報取得・表示部
２１１  ユーザアプリ配信部
２１２  イベント情報配信部
２１３，２１３ｂ  店舗情報配信部
２１３ａ  店舗情報配信部
２１４  来店情報集計部
２１５  タグＩＤ紐付け部
２２１  ユーザアプリ記憶部
２２２  イベント情報記憶部
２２３，２２３ｂ  ユーザ情報記憶部
２２４  店舗情報記憶部
２２５  来店情報記憶部
３１１  タグＩＤ受信部
３１２  店舗ＩＤ送信部
３１３  店舗情報表示部
３２２  パスワード表示部
６１１  来店集計情報
【図１】
2007310431.tif 000003
【図２】
2007310431.tif 000004
【図３】
2007310431.tif 000005
【図４】
2007310431.tif 000006
【図５】
2007310431.tif 000007
【図６】
2007310431.tif 000008
【図７】
2007310431.tif 000009
【図８】
2007310431.tif 000010
【図９】
2007310431.tif 000011
【図１０】
2007310431.tif 000012
【図１１】
2007310431.tif 000013
【図１２】
2007310431.tif 000014